(57)【要約】【課題】入力された映像信号に応じて輝度範囲を適切に設定することにより、コントラストの調整を適切に行うことが可能となる映像処理装置等を提供すること。【解決手段】入力された映像信号の輝度分布を生成し、輝度分布における低輝度領域及び／又は高輝度領域における標準偏差を算出する。算出された標準偏差に基づいて、輝度分布の範囲として下限値及び上限値を決定し、決定された輝度分布の範囲に含まれる輝度のコントラストの調整を行う映像処理装置を提供する。【選択図】図３
2019047246.tif 000002
【特許請求の範囲】
【請求項１】
入力された映像信号の輝度分布を生成する輝度分布生成手段と、
前記輝度分布における低輝度領域及び／又は高輝度領域における標準偏差を算出する標準偏差算出手段と、
前記標準偏差算出手段により算出された標準偏差に基づいて、前記輝度分布の範囲として下限値及び上限値を決定する範囲決定手段と、
前記範囲決定手段により決定された前記輝度分布の範囲に含まれる輝度のコントラストの調整を行う調整手段と、
を備えたことを特徴とする映像処理装置。
【請求項２】
前記範囲決定手段は、前記輝度分布の範囲として、
下限値：低輝度領域における平均値−低輝度領域における標準偏差値
上限値：高輝度領域における平均値＋高輝度領域における標準偏差値
にて決定される第１の範囲であることを特徴とする請求項１に記載の映像処理装置。
【請求項３】
前記範囲決定手段は、前記輝度分布の範囲として、
第２の下限値：低輝度領域における平均値−低輝度領域における標準偏差値×２
第２の上限値：高輝度領域における平均値＋高輝度領域における標準偏差値×２
にて決定される第２の範囲を更に決定し、
前記画像データにより、前記第１の範囲と、前記第２の範囲とを切り替える切替手段を更に備えることを特徴とする請求項２に記載の映像処理装置。
【請求項４】
請求項１から３の何れか一項に記載の映像処理装置を備えていることを特徴とするテレビジョン受信装置。
【請求項５】
入力された映像信号の輝度分布を生成する輝度分布生成ステップと、
前記輝度分布における低輝度領域及び／又は高輝度領域における標準偏差を算出する標準偏差算出ステップと、
前記標準偏差算出ステップにより算出された標準偏差に基づいて、前記輝度分布の範囲として下限値及び上限値を決定する範囲決定ステップと、
前記範囲決定ステップにより決定された前記輝度分布の範囲に含まれる輝度のコントラストの調整を行う調整ステップと、
を含むことを特徴とする映像処理方法。
【請求項６】
コンピュータに、
入力された映像信号の輝度分布を生成する輝度分布生成機能と、
前記輝度分布における低輝度領域及び／又は高輝度領域における標準偏差を算出する標準偏差算出機能と、
前記標準偏差算出機能により算出された標準偏差に基づいて、前記輝度分布の範囲として下限値及び上限値を決定する範囲決定機能と、
前記範囲決定機能により決定された前記輝度分布の範囲に含まれる輝度のコントラストの調整を行う調整機能と、
を実行させることを特徴とするプログラム。
【発明の詳細な説明】
【技術分野】
【０００１】
本発明は、映像処理装置等に関する。
【背景技術】
【０００２】
映像信号や画像信号に対して、画質を向上させるために、例えばコントラストを調整する方法が種々知られている。
【０００３】
例えば、コントラストの調整方法として、特許文献１が開示されている。特許文献１によれば、画像データの階調値のヒストグラムを生成し、ヒストグラムの両端から階調値を走査し、ヒストグラムの左端部の面積ＬＳおよび右端部の面積ＲＳがそれぞれヒストグラムの総面積Ｓの１６％になるように２つの階調値ｉ，ｊを求める。画像データの階調値の分布が、正規分布に従うと仮定すると、階調値ｉからｊの範囲が標準偏差σの２倍に相当するため、このような方法により、標準偏差の推定値である散らばり度合いを求めることができる。しかし、画像データの階調値はすべて正規分布に従うものとはいえないため、散らばり度合いには誤差が含まれる。そのため、散らばり度合いを量子化することにより、階調補正量を求める。こうすることにより、階調補正量を簡易的に導出することが可能となる発明が開示されている。
【先行技術文献】
【特許文献】
【０００４】
【特許文献１】特開２００４−２７４６４１号公報
【発明の概要】
【発明が解決しようとする課題】
【０００５】
近年、利用者から、映像をより高画質で表示させるニーズが非常に高まっている。高画質で表示させるための映像処理方法の１つとして、映像のコントラストを向上させるために、入力信号の輝度レンジをフレーム毎にコントラストを調整するアクティブコントラストが知られている。
【０００６】
この場合、動的にコントラストの調整が行われるが、映像信号の輝度値の上限値及び下限値に応じて、映像信号の輝度レンジの上下を伸張し、伸張された輝度レンジに基づいてコントラストを調整し、向上させる場合がある。このとき、輝度レンジの上限値及び下限値として、輝度値の平均値を単純に利用してしまうと、変動が大きくなってしまい、逆に品位が低下してしまうといった問題が生じていた。
【０００７】
また、上述した特許文献１のように、ヒストグラム全体に基づいて標準偏差を算出し、利用したとしても、例えば、輝度分布の全体にピークが２つ以上ある場合等は、適切な上限値及び下限値を求めることができなかった。
【０００８】
上述した課題に鑑み、本発明は、入力された映像信号に応じて輝度範囲を適切に設定することにより、コントラストの調整を適切に行うことが可能となる映像処理装置等を提供することである。
【課題を解決するための手段】
【０００９】
上述した課題に鑑み、本発明の映像表示装置は、
入力された映像信号の輝度分布を生成する輝度分布生成手段と、
前記輝度分布における低輝度領域及び／又は高輝度領域における標準偏差を算出する標準偏差算出手段と、
前記標準偏差算出手段により算出された標準偏差に基づいて、前記輝度分布の範囲として下限値及び上限値を決定する範囲決定手段と、
前記範囲決定手段により決定された前記輝度分布の範囲に含まれる輝度のコントラストの調整を行う調整手段と、
を備えたことを特徴とする。
【００１０】
本発明の映像処理方法は、
入力された映像信号の輝度分布を生成する輝度分布生成ステップと、
前記輝度分布における低輝度領域及び／又は高輝度領域における標準偏差を算出する標準偏差算出ステップと、
前記標準偏差算出ステップにより算出された標準偏差に基づいて、前記輝度分布の範囲として下限値及び上限値を決定する範囲決定ステップと、
前記範囲決定ステップにより決定された前記輝度分布の範囲に含まれる輝度のコントラストの調整を行う調整ステップと、
を含むことを特徴とする。
【００１１】
本発明のプログラムは、
コンピュータに、
入力された映像信号の輝度分布を生成する輝度分布生成機能と、
前記輝度分布における低輝度領域及び／又は高輝度領域における標準偏差を算出する標準偏差算出機能と、
前記標準偏差算出機能により算出された標準偏差に基づいて、前記輝度分布の範囲として下限値及び上限値を決定する範囲決定機能と、
前記範囲決定機能により決定された前記輝度分布の範囲に含まれる輝度のコントラストの調整を行う調整機能と、
を実行させることを特徴とするプログラム。
【発明の効果】
【００１２】
本発明の映像表示装置等によれば、低輝度領域や、高輝度領域においてそれぞれ下限値及び上限値を決定し、更に標準偏差を利用することで、適切にコントラストの調整を行うことができるようになる。
【図面の簡単な説明】
【００１３】
【図１】第１実施形態におけるテレビジョン受信装置の外観を示す図である。
【図２】第１実施形態におけるテレビジョン受信装置の機能構成を説明するための図である。
【図３】第１実施形態における映像処理部の説明するための図である。
【図４】第１実施形態における処理の一例を説明するための図である。
【図５】第１実施形態における動作例を説明するための図である。
【図６】第１実施形態における動作例を説明するための図である。
【図７】第１実施形態における動作例を説明するための図である。
【図８】第１実施形態における動作例を説明するための図である。
【図９】第３実施形態におけるデータの構成を説明するための図である。
【発明を実施するための形態】
【００１４】
以下、本発明の実施の形態について、図面を参照して説明する。なお、本実施形態では、一例として、映像処理装置をテレビジョン受信装置に適用した場合について説明する。
【００１５】
［１．第１実施形態］
［１．１  全体構成］
まず、図１の本実施形態におけるテレビジョン受信装置１の全体の外観を示す。本実施形態では、映像処理装置の一例として、アクティブコントラストによる映像処理が行われるテレビ受信装置を例に説明するが、映像処理装置であれば他の装置であってもよい。
【００１６】
［１．２  機能構成］
本実施形態のテレビジョン受信装置１の機能構成を図２に示す。図２のテレビジョン受信装置１は、制御部１００と、チューナ部１１０と、外部入力部１１５と、表示部１２０と、音声出力部１３０と、操作部１４０と、記憶部１５０と、映像処理部１６０とを備えて構成されている。
【００１７】
制御部１００は、テレビジョン受信装置１の全体を制御するための機能部である。制御部１００は、記憶部１５０に記憶されている各種プログラムを読み出して実行することにより各種機能を実現しており、例えばＣＰＵ（Central Processing Unit）等により構成されている。
【００１８】
チューナ部１１０は、選局されたチャンネルの放送波を受信し、映像信号、音声信号として出力する機能部である。例えば、放送局から放送されたデジタル放送を、外部アンテナを経由して受信する。なお、受信する放送としては、デジタル放送に限らず、例えばマルチキャスト放送等であってもよい。
【００１９】
外部入力部１１５は、外部からの映像信号／音声信号を入力するための機能部である。例えば、コンピュータや、レコーダといった他の装置を、ＨＤＭＩ（登録商標）や、Ｄｉｓｐｌａｙポート、Ｄ−ＳＵＢ、コンポジット等により接続可能である。
【００２０】
表示部１２０は、チューナ部１１５及び外部入力部１１５より出力された映像信号を表示したり、各種情報を表示したりする機能部である。例えば、液晶ディスプレイ（ＬＣＤ：Liquid Crystal Display）や、有機ＥＬパネル（ＯＬＥＤ）等により構成される。また、プロジェクタ等の照射型の表示装置であってもよい。
【００２１】
音声出力部１３０は、チューナ部１１０及び外部入力部１１５から出力される音声信号が出力される機能部である。例えば、スピーカや、ヘッドフォン等により構成されている。
【００２２】
操作部１４０は、テレビジョン受信装置１を操作するための機能部である。例えば、電源のＯＮ／ＯＦＦや、チャンネルの選局、音量の調整、モード切替えといった種々の操作が、操作部１４０を介して行われる。
【００２３】
記憶部１５０は、テレビジョン受信装置１の動作に必要な各種プログラムや、各種データが記憶されている機能部である。記憶部１５０は、例えば、半導体メモリや、ＨＤＤ（Hard Disk Drive）等により構成されている。
【００２４】
また、記憶部１５０には、テレビジョン受信装置１において必要な映像データや、補正パラメータ、ガンマ補正や画質調整に利用されるＬＵＴ（Lookup Table）が記憶されるが、その中の一つとして本実施形態では輝度テーブル１５２と、ヒストグラム１５４と、輝度範囲設定値１５６とが記憶される。
【００２５】
輝度テーブル１５２は、映像信号の輝度変換を行う場合に利用される入出力対応を示すテーブルである。また、ヒストグラム１５４は、入力される映像信号の輝度分布をしめしており、この輝度分布の中での利用する上限値及び下限値を記憶するのが輝度範囲設定値１５６である。
【００２６】
映像処理部１６０は、入力された映像信号に対して、各種映像処理（画像処理）を施す機能部である。例えば、明るさの調整や、白レベル、黒レベルの調整、鮮鋭度、色温度変換といった各種映像処理が実行可能である。
【００２７】
また、本実施形態では、コントラスト算出する方法として、映像信号のヒストグラム（輝度分布）を解析して、輝度信号を非線形に補正するアクティブコントラスト等が利用される。例えば、輝度信号が暗い（暗い場面）の場合は暗部の階調表現を重視し、明るい場面の場合は全体のコントラストを重視する制御を行う。これにより、ダイナミックレンジの広い映像信号を出力することができる。
【００２８】
映像処理部１６０のうち、アクティブコントラストを行う場合に、利用される輝度テーブルを算出する方法について、図３を利用して説明する。本実施形態では輝度レンジをフレーム毎に変換しているが、そのときに、図３の処理により、入力の輝度の最小値（Ｙｍｉｎ）と、最大値（Ｙｍｉｘ）に応じて、輝度レンジが拡大される。
【００２９】
図３に示すように、入力された映像信号は、ＲＧＢ信号で表されていることから、ＲＧＢｔｏＹＵＶ変換部２０２により、ＹＵＶ信号に変換される。ＹＵＶ信号は、Ｙ：輝度信号と、Ｕ：色差信号（Ｃｂ）と、Ｖ：色差信号（Ｃｒ）で表される信号である。ここで、ＲＧＢ信号から、ＹＵＶ信号への変換方法については、公知である種々の方法の何れかを用いればよい。
【００３０】
ここで、輝度信号に基づいて、ヒストグラム算出部２０４において、輝度分布（ヒストグラム）が出力される。ここで、輝度分布としては、例えば８ｂｉｔの場合は２５６階調となるため、輝度値は０〜２５５で示される。ヒストグラムを算出するには、好ましくは輝度値を３２分割し、８階調で表現するとよいが、例えば、６４分割し、４階調で表現してもよいし、１６分割（１６階調）で表現しても良い。ヒストグラム算出部２０４で算出されたヒストグラムは、記憶部１５０にヒストグラム１５４に記憶される。
【００３１】
また、併せてＹｍｉｎ／Ｙｍａｘ算出部２０６により、輝度値の最小値（Ｙｍｉｎ）と、最大値（Ｙｍａｘ）とを算出する。これにより、入力された映像の輝度レンジが算出（決定）される。ここで決定された輝度値の最小値と最大値とは、輝度範囲設定値１５６として、記憶部１５０に記憶される。
【００３２】
つづいて、Ｙｍｉｎ／Ｙｍａｘ再計算部２０８は、輝度値の最小値と、最大値とを再計算する。これにより、より輝度レンジが再設定されて、よりコントラストの調整が適切になされるようになる。すなわち、Ｙｍｉｎ／Ｙｍａｘ再計算部２０８で再計算された最小値及び最大値を用いることで映像信号の階調が上下に伸長された状態で、コントラスト算出部２１０により、コントラストが算出される。再計算されたＹｍｉｎ／Ｙｍａｘを使用することでノイズ、エッジ強調等で発生したＹｍｉｎ／Ｙｍａｘを除去できるため、本来得たいコントラストを得ることができる。
【００３３】
また、これらの処理に基づいて、映像信号の階調の上下が伸長された輝度テーブル１５２が生成されることとなる。すなわち、上述した処理を実行することにより、より適切な輝度テーブルが生成されることとなり、映像信号に応じて適切にコントラストの向上を期待することができる。
【００３４】
［１．３  処理の流れ］
本実施形態における映像信号の階調を上下に伸長させる処理について、図４に基づいて説明する。なお、本処理を実行するにあたっては、入力された映像（画像）の輝度値を示す輝度テーブル、輝度値に基づいて輝度分布を示すヒストグラム、入力された映像（画像）の輝度値のうち、最小値（Ｙｍｉｎ）と、最大値（Ｙｍａｘ）とが、それぞれ算出されている。
【００３５】
まず、輝度値に基づいて算出されたヒストグラムのうち、低輝度分布範囲と、高輝度分布範囲とが設定される（ステップＳ１０２）。
【００３６】
ここで、低輝度分布範囲（高輝度分布範囲）は、標準偏差が算出できる程度の範囲を示しており、例えば、輝度分布のうち、略５〜略２０％程度、好ましくは１０％程度である。この輝度分布の設定は、予め設定されているが、映像信号や、利用者の設定により範囲を変更してもよい。
【００３７】
低輝度領域の標準偏差（σ）を算出する（ステップＳ１０４）。なお、ステップＳ１０４では標準偏差（σ）にあたり平均値（低輝度領域の平均値）が算出されており、また、中央値（低輝度領域の中央値）等が算出されてもよい。
【００３８】
つづいて、Ｙｎに輝度の最小値（Ｙｍｉｎ）を設定し（ステップＳ１０６）、このＹｎが−１σ（すなわち、低輝度領域の平均値から標準偏差（σ）を減算した値）より小さいかを判定する（ステップＳ１０８）。
【００３９】
ここで、Ｙｎが−１σより小さい場合には、Ｙｎの輝度値は低輝度領域平均値に変更される（ステップＳ１１０）。もし、Ｙｎが−１σ以上の場合には、輝度値はそのまま利用される。
【００４０】
ここで、低輝度領域の輝度値を総て比較していない場合には、Ｙｎの値をインクリメントし、同様の処理を実行する（ステップＳ１１２；Ｎｏ→ステップＳ１１４→ステップＳ１０８）。
【００４１】
低輝度領域について総て比較し終わった後は、つづいて高輝度領域について同様の処理を実行する。まず、高輝度領域の標準偏差（σ）を算出する（ステップＳ１１６）。また、今度はＹｎに輝度の最大値（Ｙｍａｘ）を設定する（ステップＳ１１８）。
【００４２】
Ｙｎが＋１σ（すなわち、高輝度領域の平均値に標準偏差（σ）を加算した値）より大きいかを判定する（ステップＳ１２０）。もし、Ｙｎが＋１σより大きい値の場合には（ステップＳ１２０；Ｙｅｓ）、Ｙｎは高輝度領域の平均値に変更される（ステップＳ１２２）。他方、Ｙｎが１σ以下の場合は、輝度値はそのまま利用される。
【００４３】
高輝度領域の輝度値について総て比較していない場合には、Ｙｎの値をデクリメントし、同様の処理を実行する（ステップＳ１２４；Ｎｏ→ステップＳ１２６→ステップＳ１２０）。
【００４４】
高輝度領域について総て比較し終わった後は、処理を終了する。これにより、映像（画像）の輝度値が、標準偏差を利用したレンジに含まれることになり、通常の最小値／最大値を利用した範囲より伸張されることとなる。
【００４５】
また、総て平均値を使用するのに比較し、影響の少ない輝度値にのみ平均値が使われ、影響の大きい部分についてはそのままの輝度値が利用されていることから、より適切にコントラストを算出することができる。
【００４６】
［１．４  動作例］
本実施形態のおける具体的な動作について、図を参照して説明する。まず、本実施形態における輝度レンジ（範囲）の再設定について説明するのが図５である。図５（ａ）にしめすように、本来輝度レンジとして、輝度分布に含まれる最小値１６〜最大値２３５が設定されるとする。
【００４７】
これに対して、本実施形態の処理を適用することにより、輝度分布の低輝度領域の標準偏差が利用されて輝度レンジの最小値が３０に、高輝度領域の標準偏差が利用されて、輝度レンジの最大値が２００に設定される。
【００４８】
この場合の輝度カーブの変化を図５（ｂ）に示す。直線（細線）で示された通常の輝度カーブに対して、本実施形態の輝度カーブは、太線で示すように、出力値１６から２３５の範囲に、入力値の３０から２００の範囲が含まれるようになる。
【００４９】
図６は、低輝度領域におけるヒストグラムを模式的に示した図である。例えば、従来の処理を適用し、実際の最小値をＹｍｉｎとして利用すると、例えば、図６（ａ）のような偏りがある場合でも、輝度値１６（Ｒ１の位置）が最小値となってしまう。しかし、輝度値１６〜２３の階調においては、全体的な割合が小さいため、期待する効果が得られないという問題が生じてしまう。
【００５０】
また、低輝度領域における平均値をＹｍｉｎとして利用した場合、図６（ｂ）のような低輝度領域の分布の偏りが少ない場合でも、Ｙｍｉｎは平均値２８（Ｒ２の位置）が最小値となってしまう。この場合、輝度値１６〜２３の階級に含まれる輝度値が多く、全体的な割合が小さくないため、期待する効果が得られないという問題が生じてしまう。
【００５１】
それに対して、本実施形態では、標準偏差（σ）を利用することにより、より適切な最小値を設定できる。例えば、図６（ｃ）のように、Ｙｍｉｎは、標準偏差を利用して２０となり、Ｒ３の位置が最小値となる。これにより、適切な範囲の輝度値を利用することが可能となり、期待値に近いコントラスト感が得られることとなる。
【００５２】
ここで、具体的な値をつかって説明する。以下の図面では、低輝度領域を一例として説明するが、高輝度領域でも同様な効果を奏することは勿論である。また、図７は、輝度分布が偏っている場合の例、図８は輝度分布が一様な場合の例として説明する。
【００５３】
図７（ａ）は、低輝度領域における輝度分布（ヒストグラム）を抜き出した図であり、図７（ｂ）は、低輝度領域の輝度値の分布から求められる値である。ここでは、３つの階級について説明しており、それぞれ階級における最小値、最大値、中央値（ｘ）、度数（ｆ）、階級における合計が示されている。
【００５４】
図７（ｂ）によれば、１６〜２３の階級の度数は１であるが、２１〜３１、３２〜３９の階級の度数は１０と偏りを見せている。ここで、図７（ｂ）で示された値から算出される値を図７（ｃ）に示す。本実施形態では、低輝度領域に含まれる輝度値の平均（例えば、「31.4286」）と、分散（例えば、「21.7687」）と、標準偏差（σ）（例えば、「4.6657」）と、平均から標準偏差を減算した値として−１σ（例えば、「26.7629」）とが示されている。
【００５５】
図７（ｄ）は、輝度値が再計算された輝度テーブルである。低輝度領域に含まれる１６〜３２の輝度値について、−１σである「26.7629」以上である「２７」からは、輝度値がそのまま利用されている。それに対して、−１σより小さい「２６」以下については、平均値に再計算されて、出力されている。図７（ｄ）では、計算した平均値である「31.4286」と示されているが、輝度値としては、「３１」が利用されればよい。
【００５６】
図８は、図７と同様であるが、今度はヒストグラムの分布に偏りがない場合、すなわち分布が一様である場合について説明する。図８（ａ）は、低輝度領域における輝度分布（ヒストグラム）を抜き出した図であり、図８（ｂ）は、低輝度領域の輝度値の分布から求められる値である。図７と異なり、各階級の度数が１０であり、分布が一様になっている。
【００５７】
図８（ｃ）は、図８（ｂ）で示された値から算出される値である。図８（ｃ）では、平均値は「２８」、標準偏差（σ）は「7.3771」、−１σは「20.6229」とが示されている。
【００５８】
図８（ｄ）は、輝度値が再計算された輝度テーブルである。−１σである「20.6229」以上である「２１」からはそのままの輝度値が利用されている。それに対して、−１σより小さい「２０」以下については、平均値が利用されている。
【００５９】
このように、本実施形態によれば、標準偏差を利用してコントラストの算出に利用する輝度値の範囲を伸張することができ、利用者の期待に近く、適切なコントラストを得られるように映像を処理することができるようになる。
【００６０】
なお、上述した実施形態において、ステップＳ１１０及びステップＳ１２２において平均値を利用することとして説明したが、平均値以外を利用することも考えられる。例えば、低輝度領域であれば再計算後の最小の輝度値を利用したり、高輝度領域であれば再計算後の最大の輝度値を利用したりしてもよい。
【００６１】
例えば、図７の例であれば、平均値を利用した場合は、−１σより小さい輝度値は「３１」となるが、「２７」が利用されてもよい。
【００６２】
また、上述した実施形態では、低輝度領域と、高輝度領域とを標準偏差をそれぞれ求め、２つの領域を利用することとしたが、低輝度領域又は高輝度領域の何れかの領域のみに適用してもよい。すなわち、図４のステップＳ１０４〜Ｓ１１４の処理か、ステップＳ１１６〜ステップＳ１２６の処理かを実行することとしてもよい。
【００６３】
このように、低輝度領域又は高輝度領域の何れかの領域のみに適用することにより、高速に処理することが可能となる。したがって、解像度が大きい場合や、映像の動きが速い場合に効果が得られる。
【００６４】
また、低輝度領域又は高輝度領域の、何れかを選択する場合、例えば入力される映像信号に応じて選択されてもよい。例えば、低輝度が少ない（高輝度が多い）映像信号には低輝度領域のみを実行することにより、適切な画質を維持しつつ高速に動作させることが可能となる。
【００６５】
［２．第２実施形態］
つづいて、第２実施形態について説明する。上述した実施形態においては、標準偏差（σ）をそのまま利用して説明したが、２σ、３σを利用してもよい。
【００６６】
これは、統計を考えると、平均０、標準偏差σの正規分布を考えた場合、−１σ〜＋１σの範囲に含まれる確率は、略６８％である。これが、−２σ〜＋２σの範囲に含まれる確率は略９５％、−３σ〜＋３σの範囲に含まれる確率は略９９％となる。本実施形態では、より好ましい結果となる２σを利用した場合について説明する。
【００６７】
第２実施形態は、第１実施形態と機能構成は同一である。また、処理については、図６で説明した処理フローのうち、ステップＳ１０８について、Ｙｎが−２σより小さいかを判定する。すなわち、低輝度領域の平均値から２倍のσ分だけ減算された値と比較する。また、ステップＳ１２０について、Ｙｎが＋２σより大きいかを判定する。すなわち、高輝度領域の平均値から２倍のσ分だけ加算された値と比較する。
【００６８】
図７及び図８を利用して、本実施形態の実施例について説明する。図７の場合、図７（ｃ）に示すように、−２σは「22.0972」となる。したがって、図７（ｄ）に示すように、輝度値が「２３」以上の場合はそのまま出力し、「２２」以下の場合は平均値が出力される。
【００６９】
同様に、図８の場合、図８（ｃ）に示すように、−２σは「13.2458」となる。したがって、図８（ｄ）に示すように、輝度値が「１６」で−２σ以上となり、総て含まれるため、そのまま輝度値が出力されることとなる。
【００７０】
このように、本実施形態によれば、１σを利用した場合と比較して、より多く実際の輝度値を利用することとなる。これは、輝度レンジの伸張の幅は１σを利用したより少なくなるが、元の映像信号に忠実となり、意図しないコントラストとなることを防ぐことが可能となる。
【００７１】
［３．第３実施形態］
つづいて第３実施形態について説明する。第３実施形態は、第１実施形態及び第２実施形態で説明した、標準偏差を利用した１σと２σとを切り替える実施形態である。
【００７２】
１σを利用するか、２σを利用するかは、自動的に切り替えてもよいし、利用者が切り替えてもよい。また、利用者が切り替える場合は、入力モードや、表示画質（ポジション）に応じて切り替えられてもよい。以下、切り替える動作の一例について説明する。
【００７３】
（１）手動で切り替える場合
１σと２σとを手動で切り替える場合、単純に画質モードに割り当てて切り替えてもよい。例えば、ダイナミックにコントラストを変化させたい場合は１σ、もとの映像（画像）を極力忠実に表示させたい場合は２σを選択してもよい。
【００７４】
また、図９（ａ）に示したように、入力モードに対応して切り替えてもよい。図９（ａ）の場合は、テレビやＨＤＭＩ入力と言った比較的に映像の忠実性が求められる場合は２σを、コントラストを強くしてもよいコンピュータからの入力（例えば、Ｄ−ＳＵＢや、ＤＶＩ入力）の場合は１σが適用されるようになっている。
【００７５】
また、図９（ｂ）は、画質ポジションに応じて適用される。比較的にコントラストを強めてよいゲームや、利用者が自らダイナミックなコントラストの変化を希望する場合は１σを、映画や静止画といった比較的に忠実性が要求される画質ポジションに対して２σが割り当てられている。
【００７６】
このように、利用者が自ら選択することで、より所望する状態で映像が表示されることとなる。
【００７７】
（２）自動で切り替える場合
例えば、上述した画質のポジションが自動と選択されることにより、入力される映像信号に応じて自動的に切り替えることとしてもよい。例えば、入力された映像の輝度値の分散を算出し、分散閾値より大きい場合は２σを適用し、分散閾値以下の場合は１σを適用してもよい。
【００７８】
これは、分散が大きいとその分多くの輝度値が最小値（最大値）近くまで存在するため、より多くの輝度値を利用した方がよいためである。
【００７９】
また、テレビ受信時に現在の番組に応じて１σ、２σを切り替えてもよい。例えば、受信し表示している番組の番組情報から、現在の番組が映画であれば２σを適用するといった動作を行ってもよい。
【００８０】
［４．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００８１】
また、上述した実施形態では、映像処理装置をテレビジョン受信装置に適用した場合について説明したが、それ以外の装置においても映像処理装置が適用可能なことは勿論である。例えば、大型ディスプレイ、コンピュータ、スマートフォン、タブレット、カーナビゲーション等の各種装置においても適用可能である。
【００８２】
また、実施形態において各装置で動作する機能は、ソフトウェア（プログラム）で実現されてもよいし、ハードウェアで実現されてもよい。プログラムで実現される場合は、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤ、ＳＳＤの記憶装置に格納され、必要に応じてＣＰＵによって読み出し、修正・書き込みが行なわれる。
【００８３】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【００８４】
１  テレビジョン受信装置
１００  制御装置
１１０  チューナ部
１１５  外部入力部
１２０  表示部
１３０  音声出力部
１４０  操作部
１５０  記憶部
１５２  輝度テーブル
１５４  ヒストグラム
１５６  輝度範囲設定値
１６０  映像処理部
【図１】
2019047246.tif 000003
【図２】
2019047246.tif 000004
【図３】
2019047246.tif 000005
【図４】
2019047246.tif 000006
【図５】
2019047246.tif 000007
【図６】
2019047246.tif 000008
【図７】
2019047246.tif 000009
【図８】
2019047246.tif 000010
【図９】
2019047246.tif 000011